(57)【要約】【課題】消費電力を抑えつつ映像を表示させることができるようにする。【解決手段】ＯＦＦモードにおいて、モニタスイッチが押下されると、省電力モードであるモニタモード（例えば、基本状態：Tuner入力表示モードに設定されている）に移行する（ステップＳ１）。ここで、再びモニタスイッチが押下された場合には、ＯＦＦモードに戻る（ステップＳ２）。一方、モニタモードの基本状態：Tuner入力表示モードにおいて、入力切替スイッチを押下すると、押下するたびにS-Video入力表示モード、Ｄ端子入力表示モードの順で切り換わり、再びモニタモードの基本状態：Tuner入力表示モードに戻る（ステップＳ３ａ〜Ｓ３ｃ）。また、モニタモードにおいて、電源スイッチが押下された場合には、通常の動作モードであるＰＣモードに移行する（ステップＳ６）。ＰＣモードにおいて、電源スイッチが押下された場合には、モニタモードに移行する（ステップＳ１６）。【選択図】      図７
2005189364.tif 000002
【特許請求の範囲】
【請求項１】
ディスプレイ装置を備えた電子機器であって、
電子機器本体の電源が投入されているときに動作し、映像の前記ディスプレイ装置への出力制御を行う第１の表示コントローラを含む第１の回路群と、
前記電子機器本体の電源が投入されていないときでも動作させることが可能であり、映像の前記ディスプレイ装置への出力制御を行う第２の表示コントローラを含む第２の回路群と
を具備することを特徴とする電子機器。
【請求項２】
前記第１の表示コントローラおよび前記第２の表示コントローラのうち、前記ディスプレイ装置への映像出力の制御を行うべき表示コントローラを選択的に切り替えるための切替回路を更に具備することを特徴とする請求項１記載の電子機器。
【請求項３】
前記第１の回路群を動作させる第１の動作モードと、前記第１の回路群を動作させず、前記第２の回路群を動作させる第２の動作モードと、前記第１の回路群および前記第２の回路群の動作を停止させる動作停止モードとの間の切り替えを行う制御手段を更に具備することを特徴とする請求項１記載の電子機器。
【請求項４】
前記第２の動作モードを設定するための操作手段を更に具備することを特徴とする請求項３記載の電子機器。
【請求項５】
各動作モード間を切り替えるための操作手段を更に具備することを特徴とする請求項３記載の電子機器。
【請求項６】
ディスプレイ装置を備えた電子機器に適用される表示制御方法であって、
電子機器本体の電源が投入されているときには、映像の前記ディスプレイ装置への出力制御を行う第１の表示コントローラを含む第１の回路群を動作させる第１の動作モードを設定し、
前記第１の動作モードが設定されているときに、所定の指示があった場合、前記第１の回路群を動作させず、映像の前記ディスプレイ装置への出力制御を行う第２の表示コントローラを含む第２の回路群を動作させる第２の動作モードへ切り替える
ことを特徴とする表示制御方法。
【請求項７】
ディスプレイ装置を備えた電子機器に適用される表示制御方法であって、
電子機器本体の電源が投入されているときには、映像の前記ディスプレイ装置への出力制御を行う第１の表示コントローラを含む第１の回路群を動作させる第１の動作モードを設定し、
前記第１の動作モードが設定されているときに、所定の指示があった場合、前記第１の回路群を動作させず、映像の前記ディスプレイ装置への出力制御を行う第２の表示コントローラを含む第２の回路群を動作させる第２の動作モードへ切り替え、
前記第１の動作モードが設定されているときに、所定の指示があった場合、前記第１の回路群および前記第２の回路群の動作を停止させる動作停止モードに切り替えることを特徴とする表示制御方法。
【請求項８】
ディスプレイ装置を備えた電子機器に適用される表示制御方法であって、
電子機器本体の電源が投入されているときには、映像の前記ディスプレイ装置への出力制御を行う第１の表示コントローラを含む第１の回路群を動作させる第１の動作モードを設定し、
前記電子機器本体の電源が投入されていないときに、所定の指示があった場合、前記第１の回路群を動作させずに、映像の前記ディスプレイ装置への出力制御を行う第２の表示コントローラを含む第２の回路群を動作させる第２の動作モードへ切り替える
ことを特徴とする表示制御方法。
【請求項９】
前記第２の動作モードにおいて、所定の映像入力端子を介して入力される映像信号を前記第２の表示コントローラへ供給できるようにしたことを特徴とする請求項６乃至８のいずれかに記載の表示制御方法。
【請求項１０】
前記第２の動作モードにおいて、前記第２の表示コントローラから映像信号を所定の映像出力端子を介して外部へ出力できるようにしたことを特徴とする請求項６乃至８のいずれかに記載の表示制御方法。
【請求項１１】
各動作モード間を切り替え操作できるようにしたことを特徴とする請求項６乃至８のいずれかに記載の表示制御方法。
【発明の詳細な説明】
【技術分野】
【０００１】
本発明は、ディスプレイ装置を備えた電子機器および表示制御方法に関する。
【背景技術】
【０００２】
一般に、パーソナルコンピュータ（ＰＣ）などの電子機器にはＬＣＤなどの表示装置が備えられる。表示装置に所望の映像を表示させたい場合、まず電源スイッチを投入してＰＣ本体を起動させ、オペレーティングシステムなどを起動させた状態にする。この状態になってはじめて所望の映像を表示させることが可能となる。但し、映像を表示させる度にＰＣ本体を起動しなければならないため、ＰＣ全体の消費電力が大きくなるという問題がある。
【０００３】
ところで、表示装置に映像を効率的に表示させる技術には種々なものがある。例えば、特許文献１は、選択回路や切替回路を設けることにより、複数の映像の中から１つの映像を容易な操作により選択、表示させる技術が開示されている。また、特許文献２には、ＺＶポートを設けることにより、動画ソースをシステムバスを利用することなく表示コントローラに直接転送できるようにした技術が開示されている。
【特許文献１】特開平１１−５５５９７号公報
【特許文献２】米国特許ＵＳ ６，２９７，７９４ Ｂ１号公報
【発明の開示】
【発明が解決しようとする課題】
【０００４】
しかしながら、上記の各文献の技術は、映像を表示させる際にＰＣ本体を起動することにより消費電力が大きくなるという問題を解決するものではない。
【０００５】
本発明は上記実情に鑑みてなされたものであり、消費電力を抑えつつ映像を表示させることができる電子機器および表示制御方法を提供することを目的とする。
【課題を解決するための手段】
【０００６】
本発明に係る電子機器は、ディスプレイ装置を備えた電子機器であって、電子機器本体の電源が投入されているときに動作し、映像の前記ディスプレイ装置への出力制御を行う第１の表示コントローラを含む第１の回路群と、前記電子機器本体の電源が投入されていないときでも動作させることが可能であり、映像の前記ディスプレイ装置への出力制御を行う第２の表示コントローラを含む第２の回路群とを具備することを特徴とする。
【０００７】
また、本発明に係る表示制御方法は、ディスプレイ装置を備えた電子機器に適用される表示制御方法であって、電子機器本体の電源が投入されているときには、映像の前記ディスプレイ装置への出力制御を行う第１の表示コントローラを含む第１の回路群を動作させる第１の動作モードを設定し、前記第１の動作モードが設定されているときに、所定の指示があった場合、前記第１の回路群を動作させず、映像の前記ディスプレイ装置への出力制御を行う第２の表示コントローラを含む第２の回路群を動作させる第２の動作モードへ切り替えることを特徴とする。
【０００８】
また、本発明に係る表示制御方法は、ディスプレイ装置を備えた電子機器に適用される表示制御方法であって、電子機器本体の電源が投入されているときには、映像の前記ディスプレイ装置への出力制御を行う第１の表示コントローラを含む第１の回路群を動作させる第１の動作モードを設定し、前記第１の動作モードが設定されているときに、所定の指示があった場合、前記第１の回路群を動作させず、映像の前記ディスプレイ装置への出力制御を行う第２の表示コントローラを含む第２の回路群を動作させる第２の動作モードへ切り替え、前記第１の動作モードが設定されているときに、所定の指示があった場合、前記第１の回路群および前記第２の回路群の動作を停止させる動作停止モードに切り替えることを特徴とする。
【０００９】
また、本発明に係る表示制御方法は、ディスプレイ装置を備えた電子機器に適用される表示制御方法であって、電子機器本体の電源が投入されているときには、映像の前記ディスプレイ装置への出力制御を行う第１の表示コントローラを含む第１の回路群を動作させる第１の動作モードを設定し、前記電子機器本体の電源が投入されていないときに、所定の指示があった場合、前記第１の回路群を動作させずに、映像の前記ディスプレイ装置への出力制御を行う第２の表示コントローラを含む第２の回路群を動作させる第２の動作モードへ切り替えることを特徴とする。
【発明の効果】
【００１０】
消費電力を抑えつつ映像を表示させることができる。
【発明を実施するための最良の形態】
【００１１】
以下、図面を参照して本発明の実施形態を説明する。  
図１は、本発明の一実施形態に係る電子機器の外観を示す斜視図である。  
この電子機器は、例えばパーソナルコンピュータ（ＰＣ）であり、機器本体１と表示装置２とを備えている。表示装置２には、情報の表示を行うためのＬＣＤ（Liquid Crystal Display）３が備えられる。機器本体１には、入力操作されたリモコン７から送られてくる赤外線の信号を受光するＩＲ（赤外線）受光部４、後述する電源スイッチ５Ａ、モニタスイッチ５Ｂ、入力切替スイッチ５Ｃ、サブＬＣＤ６などが備えられる。
【００１２】
また、電子機器には、リモコン７が付属される。このリモコン７には、上記電源スイッチ５Ａ、モニタスイッチ５Ｂ、入力切替スイッチ５Ｃとそれぞれ同じ機能を有する電源スイッチ８Ａ、モニタスイッチ８Ｂ、入力切替スイッチ８Ｃが備えられる。
【００１３】
図２は、同実施形態に係る電子機器の構成を示すブロック図である。図１と共通する要素には同一の符号を付している。  
この電子機器には、第１の回路群１１と第２の回路群１２とが含まれる。第１の回路群１１は、電子機器本体の電源が投入されているときに、電力の供給を受けて動作し、特に映像のＬＣＤ３への出力制御を行う第１の表示コントローラ２４を含む。図中に斜線で示した要素が第１の回路群１１に該当する。一方、第２の回路群１２は、電子機器本体の電源が投入されていないときでも電力の供給により動作させることが可能であり、特に映像のＬＣＤ３への出力制御を行う第２の表示コントローラ４１を含む。図中に斜線で示していない要素（もしくはその一部）が第２の回路群１２に該当する。
【００１４】
以下、電子機器を構成する主要な要素について説明する。  
ＣＰＵ２１は、電子機器全体の制御を司るプロセッサであり、例えば各種のプログラムに従って種々な処理を実行する。  
ノースブリッジ２２は、ＣＰＵ２１とのインタフェース機能、サウスブリッジとのハブインタフェース機能を備えるほか、ＳＤＲＡＭ（Synchronous Dynamic Random-Access Memory）２３を制御する機能、第１のコントローラ２４を制御する機能などを備えたブリッジ装置である。
【００１５】
ＤＤＲ−ＳＤＲＡＭ２３は、ＯＳや各種のプログラム、ドライバなどを記憶し、ＣＰＵ２１の作業エリアとして使用される主メモリに該当する。  
第１の表示コントローラ２４は、ノースブリッジ２２から供給される信号に従って表示装置（ＬＣＤ３など）に表示可能な映像信号を形成し、表示装置へ映像を出力するための制御を行う。  
ＶＲＡＭ（Video Random Access Memory）２５は、第１の表示コントローラ２４により使用されるビデオメモリである。  
ＣＲＴ（Cathode Ray Tube）端子２６は、第１の表示コントローラ２４から映像信号をＣＲＴへ出力するための端子である。  
S-Video out端子２７は、第１の表示コントローラ２４から映像信号をS-Video信号として外部に出力するための信号出力端子である。  
ＬＶＤＳ−Ｒｘ処理部２８は、第１の表示コントローラ２４からの映像信号に対してＬＶＤＳ（Low Voltage Differential Signaling）に準拠した信号処理を行う。
【００１６】
サウスブリッジ２９は、ノースブリッジ２２とのハブインタフェース機能を備えるほか、音声回路５０を制御する機能、各種の通信を行う機能、ＬＰＣ（Low Pin Count）バスを制御する機能、ＰＣＩ（Peripheral Component Interconnect）バスを制御する機能などを備えたブリッジ装置である。  
通信部３０は、サウスブリッジ２９により制御される各種の通信コントローラなどを含んでいる。  
ファームウェアハブ（ＦＷＨ）３１は、ＢＩＯＳ（Basic Input/Output System）を格納するＢＩＯＳ−ＲＯＭ（Read Only Memory）に相当するものである。Super I/O処理部３２は、ＬＰＣバスを介して各種の信号の入出力処理を行うものである。  
通信部３３は、ＰＣＩバスに接続される各種の通信コントローラなどを含んでいる。
【００１７】
第２の表示コントローラ４１は、S-Video入力端子４２からの映像信号、Ｄ端子４４からの映像信号、ＴＶチューナ４６Ｂからの映像信号に従ってＬＣＤ３に表示可能な映像信号を形成し、ＬＣＤ３へ映像を出力するための制御を行う。  
S-Video入力端子４２は、外部からS-Video信号（映像信号）を入力するための信号入力端子である。この端子を介して入力された信号は第２の表示コントローラ４１へ供給できるようになっている。  
スイッチ４３は、S-Video入力端子４２を介して入力された映像信号の供給先（第２の表示コントローラ４１又はＴＶチューナ部４６）を切り替えたり、ＴＶチューナ部４６から送られてくる映像信号を第２の表示コントローラ４１へ供給したりする。
【００１８】
Ｄ端子４４は、外部からＤ端子信号（映像信号）を入力するための信号入力端子である。この端子を介して入力された信号は第２の表示コントローラ４１へ供給できるようになっている。  
ドライバ４５は、Ｄ端子４４を介して入力された映像信号を第２の表示コントローラ４１へ直接に送るか、もしくはＡ／Ｄ変換してから送るかの制御を行う。  
チューナ部４６は、アンテナ４６Ａ、ＴＶチューナ４６Ｂ、ＮＴＳＣ／ＰＡＬ（National Television System Committee/Phase Alternation by Line）デコーダ４６Ｃ、ＭＰＥＧ２エンコーダ４６Ｄ、及びＵＳＢインタフェース４６Ｅを含む。
【００１９】
アンテナ４６Ａは、テレビ放送などの電波を受信する。ＴＶチューナ４６Ｂは番組の選局処理などを行う。ＮＴＳＣ／ＰＡＬデコーダ４６Ｃは、映像信号用のデコーダおよび音声信号用のデコーダを含み、ＮＴＳＣ信号やＰＡＬ信号に対してデコード処理を施す。また、このＮＴＳＣ／ＰＡＬデコーダ４６Ｃは、ＴＶチューナ４６Ｂから得られた映像信号をスイッチ４３へ供給する（即ち、第２の表示コントローラ４１へ供給する）とともに、音声回路５０へ供給することができる。ＭＰＥＧ２エンコーダ４６Ｄは、信号に対してＭＰＥＧ２に準拠するエンコード処理を施す。ＵＳＢインタフェース４６Ｅは、エンコードされた信号をＵＳＢに準拠した信号に変換する。
【００２０】
S-Video出力端子４７は、第２の表示コントローラ４１から映像信号をS-Video信号としてを外部に出力するための信号出力端子である。  
スイッチ４８は、映像信号の第２の表示コントローラ４１からＬＶＤＳ−Ｔｘ処理部２８への送出の有効／無効を切り替えるものである。
【００２１】
ＬＶＤＳ−Ｔｘ処理部４９は、第１の表示コントローラ２４からの信号入力と、第２の表示コントローラ４１から信号入力とを選択的に入力し、ＬＶＤＳに準拠した信号をＬＣＤに出力する。なお、第１の表示コントローラ２４からの信号入力と、第２の表示コントローラ４１から信号入力とを選択的に入力する機構は、図示の例に限定されるものではなく、同じ機能を実現できるものであれば他の構成にしても構わない。
【００２２】
音声回路５０は、音声信号の処理を行う回路であり、圧縮／伸張処理回路に相当するＣＯＤＥＣ、増幅回路に相当するＡＭＰ、ディジタル／アナログ変換回路に相当するＤＡＣなどを備えている。  
音声信号入力部５１は、各種の音声信号入力端子を備えており、外部から入力される音声信号を音声回路５０へ送る。  
音声信号出力部５２は、各種の音声信号出力端子を備えており、音声回路５０からの音声信号を外部へ出力する。
【００２３】
ＤＶＤ（Digital Versatile Disk）コントローラ５３は、ＤＶＤに関するデータ制御を司るものである。
【００２４】
ＥＣ／ＫＢＣ（Embedded Controller/Keyboard Controller）５４は、組み込みコントローラであるＥＣおよびキーボードコントローラとを一体化したものであり、電源管理や入力装置からの信号の処理などを行う。  
上記ＥＣは、内蔵レジスタに保持される各種の情報に基づき、電子機器内部の各種の要素に対する電源管理を行う。特にＥＣは、スイッチ類５Ａ，５Ｂ，５Ｃの押下やリモコン７上スイッチ類８Ａ，８Ｂ，８Ｃの押し下げを検出して、後述する各種の動作モードの設定や切り替えを行ったりする。ＥＣは、これらの動作モードに応じて、前述の第１の回路群１１および第２の回路群１２に対する電力供給／停止の制御を行う。また、ＥＣは、電源や動作モードなどの各種の状態を示す情報をサブＬＣＤに表示したりする。
【００２５】
ＩＲコントローラ５５は、ＩＲ受光部４から送られてくる信号に所定の処理を施してＥＣ／ＫＢＣ５４へ送り出す。  
キーボード５６及びタッチパッド５７は、入力操作に応じた信号をＫＢＣへ送り出す入力装置である。ボリューム５８は、入力操作に応じた音声のボリュームを示す信号をＫＢＣへ送り出す装置である。
【００２６】
電源コントローラ（ＰＳＣ）５９は、電子機器内部の各種の要素に供給すべき電力を制御するものであり、Ｉ２Ｃバスを介してＥＣにより制御される。バッテリ６０は、リチャージャブルな電池であり、ＡＣ電源が使用されていないときに使用される。
【００２７】
次に、図３を参照して、ＥＣにより実現される主な動作モードについて説明する。  
動作モードには、ＯＦＦモード、ＰＣモード、及びモニタモードが用意されている。  
ＯＦＦモードは、電子機器全体の動作が停止している状態である。このＯＦＦモードからは、後述するＰＣモード／モニタモードへの移行が可能である。ＰＣモードとモニタモードの各々には、基本状態の設定が可能である。この基本状態については後述する。  
ＰＣモードは、電子機器本体の回路群（少なくとも第１の回路群１１）が動作している、通常の動作状態である。  
モニタモードは、電子機器本体の回路群（少なくとも第１の回路群１１）の動作が停止し、少なくとも第２の表示コントローラ４１及びＬＣＤ３によるモニタリングができるように第２の回路群１２が動作している、省電力の動作状態である。  
次に、図４を参照して、上記モニタモードに含まれる各種のサブ動作モードについて説明する。  
サブ動作モードには、S-Video入力表示モード、Ｄ端子入力表示モード、及びTuner入力表示モードが用意されている。  
S-Video入力表示モードは、S-Video入力端子４２を介して入力される映像を表示させるために必要な回路群が動作している状態である。この場合、Ｄ端子入力表示モード及びTuner入力表示モードだけのために使用される回路群を動作停止状態にすることが望ましい。
【００２８】
Ｄ端子入力表示モードは、Ｄ端子４４を介して入力される映像を表示させるために必要な回路群が動作している状態である。この場合、S-Video入力表示モード及びTuner入力表示モードだけのために使用される回路群を動作停止状態にすることが望ましい。
【００２９】
Tuner入力表示モードは、ＴＶチューナ４６Ｂから得られる映像を表示させるために必要な回路群が動作している状態である。この場合、S-Video入力表示モード及びＤ端子入力表示モードだけのために使用される回路群を動作停止状態にすることが望ましい。
【００３０】
また、ユーザは、入力装置及び表示装置を通じて、上記３種のサブ動作モードのうちのいずれかを、モニタモードにおける基本状態として設定登録することが可能となっている。設定された内容は、上記ＥＣの内蔵レジスタなどに登録される。一旦登録されると、例えばＯＦＦモードからモニタスイッチによりモニタモードに切り替えられた際には、基本状態として設定登録されたサブ動作モードが実現される。以下では、基本状態として例えばTuner入力表示モードが設定登録されている場合を想定する。
【００３１】
なお、ＰＣモードにおいても、上で述べたようなS-Video入力表示モード、Ｄ端子入力表示モード、及びTuner入力表示モードを実現できるようになっている。また、基本状態の設定も同様に行えるようになっている。
【００３２】
図５は、電源スイッチ５Ａ（及び８Ａ）、モニタスイッチ５Ｂ（及び８Ｂ）、及び入力切替スイッチ５Ｃ（及び８Ｃ）について説明する。  
電源スイッチは、ＯＦＦモードからＰＣモードへの移行、ＰＣモードからＯＦＦモードへの移行のほか、モニタモードからＰＣモードへの移行を行うために使用される。
【００３３】
モニタスイッチは、ＯＦＦモードからモニタモードへの移行、モニタモードからＯＦＦモードへの移行のほか、ＰＣモードからモニタモードへの移行を行うために使用される。
【００３４】
入力切替スイッチは、各サブ動作モードを所定の順序で切り替えるためのトグルスイッチに相当する。例えば、モニタモード（例えば、基本状態：Tuner入力表示モードに設定されている）の状態においては、入力切替スイッチを押すたびに、S-Video入力表示モード、Ｄ端子入力表示モードの順で切り換わり、再びモニタ（基本状態：Tuner入力表示モード）に戻る。同様に、モニタモード（例えば、基本状態：Tuner入力表示モードに設定されている）の状態においては、入力切替スイッチを押すたびに、S-Video入力表示モード、Ｄ端子入力表示モードの順で切り換わり、再びＰＣモード（基本状態：Tuner入力表示モード）に戻る。
【００３５】
次に、図６を参照して、ＥＣにより表示が制御されるサブＬＣＤ６の表示項目について説明する。  
サブＬＣＤ６には、ＰＣモードの状態（ＯＳ起動状態）を示すインジケータ７１、モニタモードの状態（表示装置の起動状態）を示すインジケータ７２、ＡＣ電源の使用状態（ＤＣ−ＩＮの状態）を示すインジケータ７３、サスペンドの状態を示すインジケータ７４、バッテリ残量を示すインジケータ７５などが備えられている。また、上記サブ動作モードの種別を識別できるように別のインジケータを追加したり、色の違いで表現するようにしてもよい。ユーザは、これらのインジケータ７１及び７２を見ることにより、動作モードなどを認識することができる。
【００３６】
次に、図７を参照して、各種の動作モード間の移行処理について説明する。  
例えば、ＯＦＦモードにおいて、モニタスイッチが押下されると、モニタモード（例えば、基本状態：Tuner入力表示モードに設定されている）に移行する（ステップＳ１）。ここで、再びモニタスイッチが押下された場合には、ＯＦＦモードに戻る（ステップＳ２）。
【００３７】
一方、モニタモードの基本状態：Tuner入力表示モードにおいて、入力切替スイッチを押下すると、押下するたびにS-Video入力表示モード、Ｄ端子入力表示モードの順で切り換わり、再びモニタモードの基本状態：Tuner入力表示モードに戻る（ステップＳ３ａ〜Ｓ３ｃ）。
【００３８】
また、S-Video入力表示モードにおいて、モニタスイッチが押下された場合には、ＯＦＦモードに戻る（ステップＳ４）。同様に、Ｄ端子入力表示モードにおいて、モニタスイッチが押下された場合には、ＯＦＦモードに戻る（ステップＳ５）。また、モニタモード（基本状態であるかどうかは問わない）において、電源スイッチが押下された場合には、ＰＣモードに移行する（ステップＳ６）。
【００３９】
例えば、ＯＦＦモードにおいて、電源スイッチが押下されると、ＰＣモード（例えば、基本状態：ＰＣ本体が動作するＰＣ本体動作モード（Tuner入力表示モードを含んでいても良い）に移行する（ステップＳ１１）。ここで、再び電源スイッチが押下された場合には、ＯＦＦモードに戻る（ステップＳ１２）。
【００４０】
一方、ＰＣモードの基本状態：ＰＣ本体動作モードにおいて、入力切替スイッチを押下すると、押下するたびにS-Video入力表示モード、Ｄ端子入力表示モードの順で切り換わり、再びＰＣモードの基本状態：ＰＣ本体動作モードに戻る（ステップＳ１３ａ〜Ｓ１３ｃ）。
【００４１】
また、S-Video入力表示モードにおいて、電源スイッチが押下された場合には、ＯＦＦモードに戻る（ステップＳ１４）。同様に、Ｄ端子入力表示モードにおいて、電源スイッチが押下された場合には、ＯＦＦモードに戻る（ステップＳ１５）。また、ＰＣモード（基本状態であるかどうかは問わない）において、モニタスイッチが押下された場合には、モニタモードに移行する（ステップＳ１６）。
【００４２】
このように本実施形態によれば、各種の動作モードにモニタモードを加えることにより、ＰＣ本体を起動させることなく映像をＬＣＤに表示させることができ、電子機器の消費電力を抑えることが可能となる。また、用途に応じ、簡単な操作で種々な動作モードの間を切り替えることができ、該当するインジケータも表示されるので、ユーザにとっての使い勝手が向上する。
【００４３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４４】
【図１】本発明の一実施形態に係る電子機器の外観を示す斜視図。
【図２】同実施形態に係る電子機器の構成を示すブロック図。
【図３】ＥＣにより実現される主な動作モードを説明するための図。
【図４】モニタモードに含まれる各種のサブ動作モードを説明するための図。
【図５】電源スイッチ、モニタスイッチ、及び入力切替スイッチを説明するための図。
【図６】ＥＣにより表示が制御されるサブＬＣＤの表示項目について説明するための図。
【図７】各種の動作モード間の移行処理について説明するための図。
【符号の説明】
【００４５】
１…機器本体、２…表示装置、３…ＬＣＤ、４…ＩＲ受光部、５Ａ…電源スイッチ、５Ｂ…モニタスイッチ、５Ｃ…入力切替スイッチ、６…サブＬＣＤ、７…リモコン、８Ａ…電源スイッチ、８Ｂ…モニタスイッチ、８Ｃ…入力切替スイッチ、１１…第１の回路群、１２…第２の回路群、２１…ＣＰＵ、２２…ノースブリッジ、２３…ＳＤＲＡＭ、２４…第１のコントローラ、２５…ＶＲＡＭ、２６…ＣＲＴ端子、２７…S-Video out端子、２８…ＬＶＤＳ−Ｒｘ処理部、２９…サウスブリッジ、３０…通信部、３１…ファームウェアハブ（ＦＷＨ）、３２…Super I/O処理部、３３…通信部、４１…第２の表示コントローラ、４２…S-Video入力端子、４３…スイッチ、４４…Ｄ端子、４５…ドライバ、４６…チューナ部、４６Ａ…アンテナ、４６Ｂ…ＴＶチューナ、４６Ｃ…ＮＴＳＣ／ＰＡＬデコーダ、４６Ｄ…ＭＰＥＧ２エンコーダ、４６Ｅ…ＵＳＢインタフェース、４７…S-Video出力端子、４８…スイッチ、４９…ＬＶＤＳ−Ｔｘ処理部、５０…音声回路、５１…音声信号入力部、５２…音声信号出力部、５３…ＤＶＤコントローラ、５４…ＥＣ／ＫＢＣ、５５…ＩＲコントローラ、５６…キーボード、５７…タッチパッド、５８…ボリューム、５９…電源コントローラ（ＰＳＣ）、６０…バッテリ、７１〜７５…インジケータ。
【図１】
2005189364.tif 000003
【図２】
2005189364.tif 000004
【図３】
2005189364.tif 000005
【図４】
2005189364.tif 000006
【図５】
2005189364.tif 000007
【図６】
2005189364.tif 000008
【図７】
2005189364.tif 000009